(57)【要約】      （修正有）【課題】タッチ式電子ゴミ箱を提供する。【解決手段】蓋１、蓋用ねじりバネ１３、押圧リング２１、２２、本体３、接続用ベース板４、減速機５、モータ、回路基板６、内側ボトムパッド７１、外側ボトムパッド７２及びタッチ装置を含むタッチ式電子ゴミ箱であって、蓋が接続用ベース板とヒンジ結合され、接続用ベース板が本体裏側の上部外側に固定され、蓋と接続用ベース板のヒンジ結合部に蓋用ねじりバネが取り付けられ、内側ボトムパッド及び外側ボトムパッドが本体の底部に固定され、内側ボトムパッド、外側ボトムパッドの前方に開口部のあるキャビディ７３が設けられ、開口部のあるキャビディの本体に対応する位置に切欠部３１が設けられ、開口部のあるキャビディと切欠部がゴミ箱の前側下部に開口部のある空間を画成し、タッチ装置を取り付けるために用いられる。【選択図】図３
0003227977.tif 000002
【実用新案登録請求の範囲】
【請求項１】
蓋、蓋用ねじりバネ、押さえリング、本体、接続用ベース板、減速機、モータ、回路基板、内側ボトムパッド、外側ボトムパッド及びタッチ装置を含み、前記蓋が前記接続用ベース板とヒンジ結合され、前記接続用ベース板が前記本体裏側の上部外側に固定され、前記蓋と前記接続用ベース板のヒンジ結合部に前記蓋用ねじりバネが取り付けられ、前記内側ボトムパッド及び前記外側ボトムパッドが前記本体の底部に固定され、前記内側ボトムパッド、前記外側ボトムパッドの前方に開口部のあるキャビディが設けられ、前記開口部のあるキャビディの前記本体に対応する位置に切欠部が設けられ、前記開口部のあるキャビディと前記切欠部がゴミ箱の前側下部に開口部のある空間を画成し、前記タッチ装置を取り付けるために用いられる
ことを特徴とするタッチ式電子ゴミ箱。
【請求項２】
前記タッチ装置は、前記回路基板と電気的に接続され、前記回路基板をトリガして前記モータ、前記減速機を駆動させることで、前記蓋を開かせる
請求項１に記載のタッチ式電子ゴミ箱。
【請求項３】
前記蓋の裏側下部に扇形ギヤ及び蓋にある回転軸穴が設けられ、前記扇形ギヤは、減速機の出力ギヤと噛合し、前記接続用ベース板の頂部に接続用ベース板にある回転軸穴が設けられ、前記扇形ギヤの中心軸、前記蓋にある回転軸穴の中心軸及び前記接続用ベース板にある回転軸穴の中心軸が同軸であり、前記蓋と前記接続用ベース板が各自の回転軸穴を通じて金属回転軸に嵌通した後で枢結し、前記蓋用ねじりバネも前記金属回転軸に嵌着される
請求項１に記載のタッチ式電子ゴミ箱。
【請求項４】
前記接続用ベース板はネジで本体裏側の上部外側に固定され、接続用ベース板に前記減速機、前記モータ、前記回路基板が取り付けられ、接続用ベース板カバーで前記構成要素を覆い、接続用ベース板の下部に電池室が設けられる
請求項１に記載のタッチ式電子ゴミ箱。
【請求項５】
前記タッチ装置は、タッチ支持具、タッチ板、マイクロスイッチ及びタッチ板用ねじりバネをお含み、前記タッチ支持具が前記本体の前記切欠部に嵌着され、前記タッチ支持具の上端が前記内側ボトムパッド上に固定され、下端が前記外側ボトムパッド上に固定され、前記タッチ板が前記タッチ支持具とヒンジ結合され、ヒンジ結合部にタッチ板用ねじりバネが取り付けられ、前記マイクロスイッチが前記タッチ支持具に取り付けられ、前記タッチ板の内側に前記マイクロスイッチと接触するクサビが設けられる
請求項１に記載のタッチ式電子ゴミ箱。
【請求項６】
前記回路基板には、マイコン、駆動回路、制動回路、光電カプラが設けられ、前記モータの回転軸として双方向出力軸の構造が用いられ、前端の出力軸が前記減速機のプライマリギアと連結され、後端の出力軸が光学格子と連結され、前記光学格子が前記光電カプラの光路を分割するために用いられる
請求項１に記載のタッチ式電子ゴミ箱。
【請求項７】
前記内側ボトムパッドと前記外側ボトムパッドとの間に直線状溝が設けられ、前記本体の裏側に帯状被覆板が設けられ、前記マイクロスイッチの接続導線は前記内外側ボトムパッド間の前記直線状溝及び前記帯状被覆板を経由して前記本体の裏側まで通し、前記接続用ベース板上の前記回路基板と電気的に接続され、前記帯状被覆板の一端が前記外側ボトムパッドに固定され、他端が前記接続用ベース板に固定される
請求項１に記載のタッチ式電子ゴミ箱。
【請求項８】
前記押さえリングは、外押さえリングと内押さえリングに分かれ、前記外押さえリングが前記本体の上部開口部に嵌着され、前記内押さえリングが前記外押さえリングの内側周縁に嵌着され、前記蓋が前記外押さえリング上を覆い、ゴミ袋の開口部が前記内押さえリングの内側周縁に嵌着された後、外方へ捲り、前記捲り部が前記内、外押さえリングの間隙にがっちり押さえる
請求項１に記載のタッチ式電子ゴミ箱。
【請求項９】
前記マイコンは、ウェークアップ機能及びタイマー機能を持つポートを備え、前記ポートのピンが前記マイクロスイッチと電気的に接続され、前記マイクロスイッチがトリガされた後、前記ポートの電力レベル変化が前記マイコンを省電力スタンバイ（スリープ）モードからウェークアップさせた後タスク状態に入ると共に電力レベル変化の時間がプログラムでログされ、常に開蓋する必要があるどうかを判断するために用いられる
請求項６に記載のタッチ式電子ゴミ箱。
【請求項１０】
前記マイコン内部にカウンターが設けられ、前記カウンターの入力ポートは前記マイコンのピンを通じて光電カプラの出力端子と電気的に接続され、前記カウンター上のデータが前記蓋の開き角度を間接的に反映し、前記データを直ちに制御プログラムにフィードバックし、制御プログラムが前記カウンターの現在値を読み取ることによって、前記モータの導通及び非導通を制御する
請求項６に記載のタッチ式電子ゴミ箱。
【考案の詳細な説明】
【技術分野】
【０００１】
本考案は、タッチ式電子ゴミ箱に関する。
【背景技術】
【０００２】
従来技の電子ゴミ箱は、主に２つのタイプがあり；一つは、赤外線感知方式により蓋の開閉を実現する。この方式は、持続して通電することでセンサーを一貫して送信状態にさせるため、大量の電気エネルギーを消費するため、エネルギーを無駄にし、使用コストも増えてしまう。かつ家庭のペット又は昆虫がセンサーを通過した時誤動作が起きてゴミ箱の蓋を開かせていた。
【０００３】
もう一つは、タッチオープン式ゴミ箱である。ただし、従来の技術的解決策が不合理かつ未熟であり、マイクロスイッチと回路の接続は、通常差し込み方式であり、ゴミを取り出した時頭部全体も外さなければならないため、使用上極めて不便であり、同時にゴミ箱という過酷な使用環境において、容易に接続ポートを酸化させることで、正常に動作できなくなり、かつこのようなゴミ箱は、一般的に内箱を設けているため、コストも大幅に増えた。従来技術にも内箱のないタッチオープン式ゴミ箱があるが、技術的解決策が未熟で、レイアウトも不合理で、部品が多すぎ、ゴミ袋の設置が容易に滑り落ち、組み立てが複雑で、コストが高く、実用性が低い等の欠陥を有する。
【考案の概要】
【考案が解決しようとする課題】
【０００４】
本考案の目的は、上記欠陥を克服し、技術的解決策が合理的かつ実用的なタッチ式電子ゴミ箱を提供し、前記タッチ式電子ゴミ箱の構造設計が合理的で、より高い実用性を持つ。
【課題を解決するための手段】
【０００５】
本考案は、蓋、蓋用ねじりバネ、押さえリング、本体、接続用ベース板、減速機、モータ、回路基板、内側ボトムパッド、外側ボトムパッド及びタッチ装置を含み、前記蓋が接続用ベース板とヒンジ結合され、接続用ベース板が本体裏側の上部外側に固定され、蓋と接続用ベース板のヒンジ結合部に前記蓋用ねじりバネが取り付けられ、内側ボトムパッド及び外側ボトムパッドが本体の底部に固定され、内側ボトムパッド、外側ボトムパッドの前方に開口部のあるキャビディが設けられ、前記開口部のあるキャビディの本体に対応する位置に切欠部が設けられ、開口部のあるキャビディと切欠部がゴミ箱の前側下部に開口部のある空間を画成し、タッチ装置を取り付けるために用いられることを特徴とする。蓋用ねじりバネの役目は、蓋の大部分の重量を相殺し、開蓋に比較的小さな動力だけ必要とさせ、モータの体積及びコストを削減させ、電池の寿命を延長するためである。接続用ベース板、減速機、モータ、回路基板及び電池が本体裏側の上部外側に取り付けるのは、本体の容量に影響を及ぼさないためであり、同時にこれら構成要素が本体の裏側に取り付けられても使用上の体裁に影響を及ぼさない。タッチ装置は、ゴミ箱の前側下部の開口部のある空間内に取り付けられ、本体と一体化となり、体裁がよくかつ使用上において利便性をもたらし；タッチ装置は、回路基板と電気的に接続され、回路基板をトリガしてモータ、減速機を駆動させることで、蓋を開かせる。
【０００６】
蓋の裏側下部に扇形ギヤ及び蓋にある回転軸穴が設けられ、前記扇形ギヤは、減速機の出力ギヤと噛合し、接続用ベース板の頂部に接続用ベース板にある回転軸穴が設けられ、扇形ギヤの中心軸、蓋にある回転軸穴の中心軸及び接続用ベース板にある回転軸穴の中心軸が同軸であり、蓋と接続用ベース板が各自の回転軸穴を通じて金属回転軸に嵌通した後で枢結し、蓋用ねじりバネも前記金属回転軸に嵌着される。蓋、扇形ギヤ及び蓋上の回転軸穴は、射出成形方法で一次成形され、組み立て寸法の精度を確保し、コストを削減する。減速機の出力ギヤは、直接蓋にある扇形ギヤと噛合し、回転効率を高め、機械的損耗も減らす。金属回転軸を使用する目的は、金属回転軸の強度が高く、力を受けた時変形しにくく、同時に蓋用ねじりバネも前記回転軸上を嵌着し、蓋用ねじりバネの一端が接続用ベース板に作用し、他端が蓋に作用し、蓋用ねじりバネの作用力が常に上向きに捩じられることで、蓋の大部分の重量を相殺する。
【０００７】
接続用ベース板は、電池室と連結し、射出成形方法で一次成形され、接続用ベース板に上から下に減速機、モータ及び回路基板が順次取り付けられ、上記各構成要素が１個の組立体を構成し、前記組立体がネジで本体裏側の上部外側に固定され、接続用ベース板カバーで上記構成要素を覆う。上記組立体は、単独で組立及び調整でき、このような設計がバッチ生産に有利であると共に労力コストを削減できる。
【０００８】
タッチ装置は、タッチ支持具、タッチ板、マイクロスイッチ及びタッチ板用ねじりバネで構成され、タッチ支持具が本体の切欠部に嵌着され、タッチ支持具の上端が内側ボトムパッド上に固定され、下端が外側ボトムパッド上に固定され、タッチ板がタッチ支持具とヒンジ結合され、ヒンジ結合部にタッチ板用ねじりバネが取り付けられ、マイクロスイッチがタッチ支持具に取り付けられ、タッチ板の内側にマイクロスイッチと接触するクサビが設けられる。タッチ板用ねじりバネは、復帰の役目を果たし、人の足でタッチ板を押した時、タッチ板がバネの弾性力を克服して内方へ１つの非常に小さな角度に回転し、タッチ板の内側に設けられたクサビをマイクロスイッチのローラから離れ、マイクロスイッチが導通させ、回路に１つの信号を与え；人の足がタッチ板から離した時、タッチ板はねじりバネにより復帰され、クサビがマイクロスイッチのローラを押さえ、マイクロスイッチが非導通となる。
【０００９】
回路基板には、マイコン、駆動回路、制動回路、光電カプラが設けられ、モータの回転軸として双方向出力軸の構造が用いられ、前端の出力軸が減速機のプライマリギアと連結され、後端の出力軸が光学格子と連結され、光学格子が光電カプラの光路を分割するために用いられる。マイコンの入力端子はマイクロスイッチと電気的に接続され、駆動回路及び制動回路の制御端子がマイコンの出力端子と電気的に接続され、光電カプラの出力信号がマイコンのカウンタポートと電気的に接続される。モータが回転した後、モータ前端の出力軸が減速機のプライマリギアを回転させ、減速機を通じて蓋を回転させ；同時にモータ後端の出力軸が光学格子を回転させ、光電カプラから出力されたパルス信号がマイコンのカウンターで読み取り、カウンター上のデータが蓋の開き角度を間接的に反映し、制御プログラムがカウンターの現在値を読み取ることによって、モータの導通及び非導通を制御する。
【００１０】
内側ボトムパッドと外側ボトムパッドとの間に直線状溝が設けられ、本体の裏側に帯状被覆板が設けられ、マイクロスイッチの接続導線は内外側ボトムパッド間の直線状溝及び帯状被覆板を経由して本体の裏側まで通し、接続用ベース板上の回路基板と電気的に接続され、帯状被覆板の一端が外側ボトムパッドに固定され、他端が接続用ベース板に固定され、帯状被覆板が主に接続導線を覆うために用いられる。
【００１１】
押さえリングは、外押さえリングと内押さえリングに分かれ、外押さえリングが本体の上部開口部に嵌着され、内押さえリングが外押さえリングの内側周縁に嵌着され、蓋が外押さえリング上を覆い、ゴミ袋の開口部が内押さえリングの内側周縁に嵌着された後、外方へ捲り、前記捲り部が内、外押さえリングの間隙にがっちり押さえる。このような設計の目的は、内箱を必要とせず、同時にゴミ袋も外側に露出することなく、体裁がよくかつ内箱のコストを節約できる。
【００１２】
マイコンは、ウェークアップ機能及びタイマー機能を持つポートを備え、前記ポートのピンがマイクロスイッチと電気的に接続され、マイクロスイッチがトリガされた後、前記ポートの電力レベル変化がマイコンを省電力スタンバイ（スリープ）モードからウェークアップさせた後蓋開き状態に入り、蓋を所定位置に開いた後、マイクロスイッチが３秒以上トリガされ続けている場合、制御プログラムは蓋常開プロセスに入り、蓋を常に開蓋状態に保持し；マイクロスイッチが３秒未満の間トリガされ続けた場合、蓋が開かれ、その後数秒後に自動的に閉じられ、その後次のワークサイクルに備えて省電力スタンバイ（スリープ）モードに入る。
【００１３】
従来技術と対比すると、本考案は、構造設計が合理的であり、構成要素が少なく、組み立てが簡単で、コストが低く、回路消費電力が低く、使用上の利便性をもたらし、蓋常開機能があり、より一層実用性を持つという利点を有する。
【図面の簡単な説明】
【００１４】
【図１】タッチ式電子ゴミ箱の閉蓋状態の外観前面図である。
【図２】タッチ式電子ゴミ箱の開蓋状態の外観背面図である。
【図３】タッチ式電子ゴミ箱の構造の分解図である。
【図４】タッチ式電子ゴミ箱の蓋の局所構造を示す模式図である。
【図５】蓋と接続用ベース板のヒンジ結合を示す模式図である。
【図６】タッチ式電子ゴミ箱の前側下部の開口部のある空間を示す模式図である。
【図７】タッチ式電子ゴミ箱の右側断面図である。
【図８】蓋上の扇形ギヤと減速機の出力ギヤとの噛合を示す模式図である。
【図９】連結用ベース組立体を示す模式図である。
【図１０】タッチ装置を示す模式図である。
【図１１】タッチ式電子ゴミ箱の下部を示す模式図である。
【図１２】内外押さえリングにゴミ袋を嵌着した様子を示す模式図である。
【図１３】タッチ式電子ゴミ箱の動作原理ブロック図である。
【図１４】回路原理図である。
【考案を実施するための形態】
【００１５】
図１〜図１４を参照すると、本実施例は、蓋１、蓋用ねじりバネ１３、外押さえリング２１と内押さえリング２２を含む押さえリング、本体３、接続用ベース板４、減速機５、モータ５１、回路基板６、内側ボトムパッド７１、外側ボトムパッド７２及びタッチ装置８を含み、蓋１が蓋にある回転軸穴１２及び接続用ベース板にある回転軸穴４１を通じて接続用ベース板４とヒンジ結合され、接続用ベース板４が本体裏側３の上部外側に固定され、蓋１と接続用ベース板４のヒンジ結合部に前記蓋用ねじりバネ１３が取り付けられ、内側ボトムパッド７１及び外側ボトムパッド７２が本体３の底部に固定され、内側ボトムパッド７１及び外側ボトムパッド７２の前方に開口部のあるキャビディ７３が設けられ、前記開口部のあるキャビディ７３の本体３に対応する位置に切欠部３１が設けられ、開口部のあるキャビディ７３と切欠部３１がゴミ箱の前側下部に開口部のある空間８５を画成し、タッチ装置８を取り付けるために用いられる。蓋用ねじりバネ１３の役目は、大部分の蓋１の重量を相殺し、開蓋に比較的小さな動力だけ必要とさせ、モータ５１の体積及びコストを削減させ、電池の寿命を延長するためである。接続用ベース板４、減速機５、モータ５１、回路基板６及び電池を本体３裏側の上部外側に取り付けるのは、本体３の容量に影響を及ぼさないためであり、同時にこれら構成要素が本体３の裏側に取り付けられても使用上の体裁に影響を及ぼさない。タッチ装置８は、ゴミ箱の前側下部の開口部のある空間８５内に取り付けられ、本体３と一体化となり、体裁がよくかつ使用上において利便性をもたらす。
【００１６】
蓋１の裏側下部に扇形ギヤ１１及び蓋にある回転軸穴１２が設けられ、前記扇形ギヤ１１は、減速機の出力ギヤ５４と噛合し、接続用ベース板４の頂部に接続用ベース板にある回転軸穴４１が設けられ、扇形ギヤ１１の中心軸、蓋にある回転軸穴１２の中心軸及び接続用ベース板にある回転軸穴４１の中心軸が同軸であり、蓋１と接続用ベース板４が各自の回転軸穴を通じて金属回転軸１４に嵌通した後で枢結する。蓋１、扇形ギヤ１１及び蓋にある回転軸穴１２は、射出成形方法で一次成形され、組み立て寸法の精度を確保し、コストを削減する。減速機の出力ギヤ５４は、直接蓋１にある扇形ギヤ１１と噛合し、回転効率を高め、機械的損耗も減らす。金属回転軸を使用する目的は、金属回転軸の強度が高く、力を受けた時変形しにくく、同時に蓋用ねじりバネ１３も蓋の金属回転軸１４上を嵌着し、蓋用ねじりバネ１３の一端が接続用ベース板４に作用し、他端が蓋１に作用し、蓋用ねじりバネ１３の作用力が常に上向きに捩じられることで、大部分の蓋１の重量を相殺する。
【００１７】
接続用ベース板４は、電池室４３と連結し、射出成形方法で一次成形され、接続用ベース板４に上から下に減速機５、モータ５１及び回路基板６が順次取り付けられ、上記各構成要素が１個の組立体を構成し、前記組立体がネジで本体３裏側の上部外側に固定され、接続用ベース板カバー４４で上記構成要素を覆う。上記組立体は、単独で組立及び調整でき、このような設計がバッチ生産に有利であると共に労力コストを削減できる。
【００１８】
タッチ装置８は、タッチ支持具８１、タッチ板８２、マイクロスイッチ８３及びタッチ板用ねじりバネ８４で構成され、タッチ支持具８１が本体の切欠部３１に嵌着され、タッチ支持具８１の上端が内側ボトムパッド７１上に固定され、下端が外側ボトムパッド７２上に固定され、タッチ板８２がタッチ支持具８１とヒンジ結合され、ヒンジ結合部にタッチ板用ねじりバネ８４が取り付けられ、マイクロスイッチ８３がタッチ支持具８１に取り付けられ、タッチ板８２の内側にマイクロスイッチ８３と接触するクサビ８２１が設けられる。タッチ板用ねじりバネ８４は、復帰の役目を果たし、人の足でタッチ板８２を押した時、タッチ板８２がバネの弾性力を克服して内方へ１つの非常に小さな角度に回転し、タッチ板８２の内側に設けられたクサビ８２１をマイクロスイッチ８３のローラから離れ、マイクロスイッチ８３が導通させ、回路に１つの信号を与え；人の足がタッチ板８２から離した時、タッチ板８２はねじりバネ８４により復帰され、クサビ８２１がマイクロスイッチ８３のローラを押さえ、マイクロスイッチ８３が非導通となる。
【００１９】
回路基板６には、マイコン６１、駆動回路６２、制動回路６３、光電カプラ６４が設けられ、モータ５１の回転軸として双方向出力軸の構造が用いられ、前端の出力軸が減速機５のプライマリギアと連結され、後端の出力軸が光学格子５２と連結され、光学格子５２が光電カプラ６４の光路を分割するために用いられる。マイコン６１の１０番ピン（入力端子）は、マイクロスイッチ８３と電気的に接続され、駆動回路６２がＱ１〜Ｑ４、Ｒ１８〜Ｒ２１で構成され、制動回路６３がＱ１、Ｑ３、Ｒ１９、Ｒ２１、Ｄ２及びＤ３で構成され、駆動回路６２及び制動回路６３の制御端子がマイコン６１の出力端子の１番ピン、１２番ピン、１３番ピン及び１４番ピンと電気的に接続され、光電カプラ６４の出力信号がマイコン６１のカウンタポート（８番ピン）と電気的に接続される。モータ５１が回転した後、モータ５１前端の出力軸が減速機５のプライマリギアを回転させ、減速機５を通じて蓋１を回転させ；同時にモータ５１後端の出力軸が光学格子５２を回転させ、光電カプラ６４から出力されたパルス信号がマイコン６１のカウンターで読み取り、カウンター上のデータが蓋１の開き角度を間接的に反映し、制御プログラムがカウンターの現在値を読み取ることによって、モータ５１の導通及び非導通を制御する。
【００２０】
内側ボトムパッド７１と外側ボトムパッド７２との間に直線状溝７４が設けられ、本体３の裏側に帯状被覆板９が設けられ、マイクロスイッチの接続導線８３１は内外側ボトムパッド間の直線状溝７４及び帯状被覆板９を経由して本体３の裏側まで通し、接続用ベース板４上の回路基板６と電気的に接続され、帯状被覆板９の一端が外側ボトムパッド７２に固定され、他端が接続用ベース板４に固定され、帯状被覆板９が主に接続導線８３１を覆うために用いられる。
【００２１】
押さえリングは、外押さえリング２１と内押さえリング２２に分かれ、外押さえリング２１が本体３の上部開口部に嵌着され、内押さえリング２２が外押さえリング２１の内側周縁に嵌着され、蓋１が外押さえリング２１上を覆い、ゴミ袋の開口部が内押さえリング２２の内側周縁に嵌着された後、外方へ捲り、前記捲り部１０１が内、外押さえリングの間隙にがっちり押さえる。このような設計の目的は、内箱を必要とせず、同時にゴミ袋１０も外側に露出することなく、体裁がよくかつ内箱のコストを節約できる。
【００２２】
マイコン６１は、ウェークアップ機能及びタイマー機能を持つポート（１０番ピン）を備え、前記ポートの１０番ピンがマイクロスイッチ８３と電気的に接続され、マイクロスイッチ８３がトリガされた後、前記ポートの１０番ピンの電力レベルが高レベルから低レベルに変化し、マイコンを省電力スタンバイ（スリープ）モードからウェークアップさせた後蓋開き状態に入り、蓋を所定位置に開いた後、マイクロスイッチが３秒以上トリガ（１０番ピン）され続けて低レベルを保証している場合、制御プログラムは蓋常開プロセスに入り、蓋１を常に開蓋状態に保持し；マイクロスイッチが３秒未満の間トリガされ続けた場合、蓋１が開かれ、その後数秒後に自動的に閉じられ、その後次のワークサイクルに備えて省電力スタンバイ（スリープ）モードに入る。
【００２３】
従来技術と対比すると、本考案は、構造設計が合理的であり、構成要素が少なく、組み立てが簡単で、コストが低く、回路消費電力が低く、使用上の利便性をもたらし、蓋常開機能があり、より一層実用性を持つという利点を有する。
【００２４】
本実施例の記載されていない部分は、従来技術と同一である。
【産業上の利用可能性】
【００２５】
なお、本考案では好ましい実施例を前述の通り開示したが、これらは決して本考案に限定するものではなく、当該技術を熟知する者なら誰でも、本考案の実用新案登録請求の範囲を脱しない均等の範囲内で各種の変更や修飾を加えるのは、全て本考案の範囲に網羅される。
【符号の説明】
【００２６】
１  蓋
１１  扇形ギヤ
１２  蓋にある回転軸穴
１３  蓋用ねじりバネ
１４  蓋の金属回転軸
２１  外側押さえリング
２２  内側押さえリング
３  本体
３１  本体の切欠部
４  接続用ベース板
４１  接続用ベース板にある回転軸穴
４２  接続用ベース板のネジ穴
４３  電池室
４４  接続用ベース板カバー
５  減速機
５１  モータ
５２  光学格子
５４  出力ギヤ
６  回路基板
６１  マイコン
６２  駆動回路
６３  制動回路
６４  光電カプラ
７１  内側ボトムパッド
７２  外側ボトムパッド
７３  開口部のあるキャビディ
７４  内外側ボトムパッド間にある直線状溝
８  タッチ装置
８１  タッチ支持具
８２  タッチ板
８２１  タッチ板のクサビ
８３  マイクロスイッチ
８３１  マイクロスイッチの接続導線
８４  タッチ板用ねじりバネ
８５  タッチ装置取り付け用の開口部のある空間
９  帯状被覆板
１０  ゴミ袋
【図１】
0003227977.tif 000003
【図２】
0003227977.tif 000004
【図３】
0003227977.tif 000005
【図４】
0003227977.tif 000006
【図５】
0003227977.tif 000007
【図６】
0003227977.tif 000008
【図７】
0003227977.tif 000009
【図８】
0003227977.tif 000010
【図９】
0003227977.tif 000011
【図１０】
0003227977.tif 000012
【図１１】
0003227977.tif 000013
【図１２】
0003227977.tif 000014
【図１３】
0003227977.tif 000015
【図１４】
0003227977.tif 000016
【手続補正書】
【提出日】令和2年2月27日(2020.2.27)
【手続補正１】
【補正対象書類名】実用新案登録請求の範囲
【補正対象項目名】請求項７
【補正方法】変更
【補正の内容】
【請求項７】
前記内側ボトムパッドと前記外側ボトムパッドとの間に直線状溝が設けられ、前記本体の裏側に帯状被覆板が設けられ、前記マイクロスイッチの接続導線は前記内外側ボトムパッド間の前記直線状溝及び前記帯状被覆板を経由して前記本体の裏側まで通し、前記接続用ベース板上の前記回路基板と電気的に接続され、前記帯状被覆板の一端が前記外側ボトムパッドに固定され、他端が前記接続用ベース板に固定される
請求項５に記載のタッチ式電子ゴミ箱。
【手続補正２】
【補正対象書類名】実用新案登録請求の範囲
【補正対象項目名】請求項９
【補正方法】変更
【補正の内容】
【請求項９】
前記マイコンは、ウェークアップ機能及びタイマー機能を持つポートを備え、前記ポートのピンが前記マイクロスイッチと電気的に接続され、前記マイクロスイッチがトリガされた後、前記ポートの電力レベル変化が前記マイコンを省電力スタンバイ（スリープ）モードからウェークアップさせた後タスク状態に入ると共に電力レベル変化の時間がプログラムでログされ、常に開蓋する必要があるどうかを判断するために用いられる
請求項５に記載のタッチ式電子ゴミ箱。